(57)【要約】【課題】端子の自由端を保護可能である端子保護スライドカバー付きメモリーカードアダプターを提供する。【解決手段】ハウジング１０と、端子ユニット２０と、スライドカバー３０とを含む。ハウジング１０は、一端縁にメモリカード挿入穴１１が凹設されている。端子ユニット２０は、多数の端子２１を含み、ハウジング１０内に設置され、第一端の自由端２１１がメモリカード挿入穴１１に延設され、第ニ端の自由端２１２がハウジング１０の外部に延設されている。スライドカバー３０は、ハウジング１０にスライド可能に設けられ、ハウジング１０との間にばね１３が設けられている。通常時に、スライドカバー３０は第一端の自由端２１１をカバーし、メモリカードが挿入されるときに、スライドカバー３０がメモリカードに押圧されてハウジング１０内で摺動して後退する。【選択図】図１
0003125532.tif 000002
【実用新案登録請求の範囲】
【請求項１】
ハウジングと、端子ユニットと、スライドカバーとを含み、
前記ハウジングは一端縁にメモリカード挿入穴が凹設してあり、
前記端子ユニットは多数の端子を含み、前記ハウジング内に設置され、挿入されたメモリカードに対応するように、前記各端子の第一端の自由端が前記メモリカード挿入穴に延設され、メモリーカードアダプターが脱着自在に接続している電子装置と電気的に連接するように、前記各端子の第ニ端の自由端が前記ハウジングの外部に延設され、
前記スライドカバーは前記ハウジングにスライド可能に設けられ、前記ハウジングとの間にはばねが設けてあり、通常時に、前記スライドカバーは前記各端子の前記メモリカード挿入穴に延設されている第一端の自由端をカバーし、メモリカードが挿入されるときに、前記スライドカバーが前記メモリカードに押圧されて前記ハウジング内で摺動して後退可能であることを特徴とする端子保護スライドカバー付きメモリーカードアダプター。
【請求項２】
前記ハウジングの内部の対向する両側にはスライド溝がそれぞれ一つ形成してあり、前記スライドカバーが前記二つのスライド溝に案内されてスライド可能であることを特徴とする請求項１に記載の端子保護スライドカバー付きメモリーカードアダプター。
【請求項３】
前記ハウジングは、互いに対応する二つのハウジングユニットから構成され、前記ハウジングユニットのいずれか一つは前記メモリカード挿入穴に応じて一つの開口部が形成してあり、メモリカードが前記開口部から挿入可能であることを特徴とする請求項１に記載の端子保護スライドカバー付きメモリーカードアダプター。
【請求項４】
前記端子ユニットは、並列の多数の端子から構成され、前記各端子の中段は樹脂射出成形で連接され、前記連接箇所は樹脂本体部であり、前記樹脂本体部は前記ハウジング内の端子本体収容ゾーンに嵌合可能であることを特徴とする請求項１に記載の端子保護スライドカバー付きメモリーカードアダプター。
【請求項５】
前記端子ユニットは、前記樹脂本体部に更に一つの弾性アームが凸設してあり、前記弾性アームの末段には位置決め用フックが形成してあり、前記弾性アームの末段は前記ハウジングのメモリカード挿入穴に挿入され、前記メモリカードの挿入経路に位置し、メモリカードが前記ハウジングのメモリカード挿入穴に挿入されるときに、前記弾性アームの位置決め用フックはメモリカードの位置決め穴に弾性的に係止されることを特徴とする請求項４に記載の端子保護スライドカバー付きメモリーカードアダプター。
【請求項６】
前記スライドカバーは、一つの本体部を含み、前記本体部の両側にはフック部がそれぞれ一つ凸設してあり、前記ハウジングとの間に設けられているばねの一端が前記フック部に係られ、前記本体部の前記メモリカード挿入穴に向く開口端には一つのサイドプレート部が湾折して設けられ、メモリカードが前記メモリカード挿入穴に挿入されるときに、前記メモリカードが前記サイドプレート部に当設されて前記スライドカバー全体をスライド可能であることを特徴とする請求項１に記載の端子保護スライドカバー付きメモリーカードアダプター。
【考案の詳細な説明】
【技術分野】
【０００１】
本考案は、端子保護スライドカバー付きメモリーカードアダプターに係り、特に、メモリカードが引出されるときに、スライドカバーが自動で復帰し、各端子の自由端をカバーして保護可能である端子保護スライドカバー付きメモリーカードアダプターに関するものである。
【背景技術】
【０００２】
目下、新仕様のメモリカードは、メモリが高容量であるが、その仕様が従来の電子装置に採用されるメモリカードの仕様と異なるので、従来の電子装置に直接に適用できない問題がある。
従来の電子装置に直接に適用可能にするために、図６に示すメモリーカードアダプターが提案され、このメモリーカードアダプターは、一つのハウジング４１を含み、前記ハウジング４１にはメモリカード挿入穴４１１が凹設してあり、前記ハウジング４１内には多数の端子４２が設けてあり、前記各端子４２が挿入されたメモリカード９０と対応して接触するように、前記各端子４２の第一端の自由端４２１が前記メモリカード挿入穴４１１に延設され、しかしながら、上記の構造は、前記ハウジング４１のメモリカード挿入穴４１１が開放状態であるので、メモリカード９０を外側に引出した後に、前記ハウジング４１内に設けられた前記各端子４２の第一端の自由端４２１が外部に露出し、これにより、ホコリや異物は前記各端子４２の第一端の自由端４２１を汚染し、又は、衝突し易くなり、このように、前記各端子４２の第一端の自由端４２１はメモリカード９０と良好に連接できなくなり、信号伝送の品質は低下する。
【考案の開示】
【考案が解決しようとする課題】
【０００３】
本考案の主な目的は、メモリカードが引出されるときに、スライドカバーが自動で復帰して各端子の自由端をカバーして保護可能である端子保護スライドカバー付きメモリーカードアダプターを提供する。
【課題を解決するための手段】
【０００４】
上記目的を達成するためになされた本考案は、ハウジングと、端子ユニットと、スライドカバーとを含む端子保護スライドカバー付きメモリーカードアダプターにおいて、前記ハウジングはその一端縁にメモリカード挿入穴が凹設してあり、前記端子ユニットは多数の端子を含み、前記ハウジング内に設置され、挿入されたメモリカードに対応するように、前記各端子の第一端の自由端を前記メモリカード挿入穴に延設し、メモリーカードアダプターが脱着自在に接続した電子装置と電気的に連接するように、前記各端子の第ニ端の自由端を前記ハウジングの外部に延設し、前記スライドカバーは前記ハウジングにスライド可能に設けられ、前記ハウジングとの間にはばねが設けてあり、通常時に、前記スライドカバーは前記各端子の前記メモリカード挿入穴に延設した第一端の自由端をカバーし、メモリカードが挿入されるときに、前記スライドカバーが前記メモリカードに押圧されて前記ハウジング内で摺動して後退することを特徴とする端子保護スライドカバー付きメモリーカードアダプターであることを要旨としている。
【０００５】
本考案では、前記ハウジングの内部の対向する両側にスライド溝がそれぞれ一つ形成してあり、前記スライドカバーが前記二つのスライド溝に案内されてスライド可能であることを特徴とする請求項１に記載の端子保護スライドカバー付きメモリーカードアダプターであることを要旨としている。
【０００６】
本考案では、前記ハウジングは互いに対応する二つのハウジングユニットから構成され、前記ハウジングユニットのいずれか一つは前記メモリカード挿入穴に応じて一つの開口部が形成してあり、メモリカードが前記開口部から挿入可能であることを特徴とする請求項１に記載の端子保護スライドカバー付きメモリーカードアダプターであることを要旨としている。
【０００７】
本考案では、前記端子ユニットは並列の多数の端子から構成され、前記各端子の中段は樹脂射出成形で連接され、前記連接箇所は樹脂本体部であり、前記樹脂本体部は前記ハウジング内の端子本体収容ゾーンに嵌合可能であることを特徴とする請求項１に記載の端子保護スライドカバー付きメモリーカードアダプターであることを要旨としている。
【０００８】
本考案では、前記端子ユニットは前記樹脂本体部に更に一つの弾性アームが凸設してあり、前記弾性アームの末段には位置決め用フックが形成してあり、前記弾性アームの末段は前記ハウジングのメモリカード挿入穴に挿入され、前記メモリカードの挿入経路に位置し、メモリカードが前記ハウジングのメモリカード挿入穴に挿入されるときに、前記弾性アームの位置決め用フックはメモリカードの位置決め穴に弾性的に係止することを特徴とする請求項４に記載の端子保護スライドカバー付きメモリーカードアダプターであることを要旨としている。
【０００９】
本考案では、前記スライドカバーは一つの本体部を含み、前記本体部の両側にはフック部がそれぞれ一つ凸設してあり、前記ハウジングとの間に設けられたばねの一端が前記フック部に係られ、また、前記本体部の前記メモリカード挿入穴に向く開口端には一つのサイドプレート部が湾折して設けられ、メモリカードが前記メモリカード挿入穴に挿入されるときに、前記メモリカードが前記サイドプレート部に当設されて前記スライドカバー全体をスライド可能であることを特徴とする請求項１に記載の端子保護スライドカバー付きメモリーカードアダプターであることを要旨としている。
【考案の効果】
【００１０】
本考案の端子保護スライドカバー付きメモリーカードアダプターによれば、メモリカードが引出されるときに、スライドカバーが自動で復帰して各端子の自由端をカバーして保護可能になる効果がある。
【考案を実施するための最良の形態】
【００１１】
以下、添付図面を参照して本考案の好適な実施の形態を詳細に説明する。
まず、図１から図５を参照する。本考案の一実施例による端子保護スライドカバー付きメモリーカードアダプターは、ハウジング１０と、端子ユニット２０と、スライドカバー３０とを含む。前記ハウジング１０はその一端縁にメモリカード挿入穴１１が凹設してあり、前記端子ユニット２０は多数の端子２１を含み、前記ハウジング１０内に設置され、挿入されたメモリカード９０に対応するように、前記各端子２１の第一端の自由端２１１を前記メモリカード挿入穴１１に延設し、メモリーカードアダプターが脱着自在に接続した電子装置と電気的に連接するように、前記各端子２１の第ニ端の自由端２１２を前記ハウジング１０の外部に延設し、また、前記スライドカバー３０は前記ハウジング１０にスライド可能に設けられ、前記ハウジング１０との間にはばね１３が設けてあり、通常時に、前記スライドカバー３０は前記各端子２１の前記メモリカード挿入穴１１に延設した第一端の自由端２１１をカバーし、メモリカード９０が挿入されるときに、前記スライドカバー３０が前記メモリカード９０に押圧されて前記ハウジング１０内で摺動して後退し、なお、メモリカード９０が引出されるときに、スライドカバー３０が自動で復帰して各端子２１の第一端の自由端２１１をカバーして保護可能であるので、各端子２１がホコリや異物に汚染され、又は、破壊されることはなくなる。
【００１２】
また、図１から図３に示すように、本実施例の端子保護スライドカバー付きメモリーカードアダプターは、前記ハウジング１０が互いに対応する二つのハウジングユニット１０ａとハウジングユニット１０ｂから構成され、その輪郭は新仕様のメモリカードとぴったり合う形状を持ち、しかし、本実施例はこの形状に限定されず、前記ハウジング１０の内部の対向する両側にはスライド溝１２がそれぞれ一つ形成してあり、前記スライドカバー３０が前記二つのスライド溝１２に案内されてスライド可能であり、且つ前記ハウジング１０と前記スライドカバー３０との間にはばね１３が連接し、前記ばね１３により、通常時に、前記スライドカバー３０は前記各端子２１の前記メモリカード挿入穴１１に延設した第一端の自由端２１１をカバーする。
【００１３】
また、本実施例の端子保護スライドカバー付きメモリーカードアダプターは、前記ハウジング１０のメモリカード挿入穴１１の両側に案内レール１１１ａと案内レール１１１ｂがそれぞれ対向で凹設され、メモリカード９０の両側は前記案内レール１１１ａと案内レール１１１ｂに案内されてスライドし、これにより、メモリカード９０は前記端子ユニット２０の各端子２１の第一端の自由端２１１と精確に接触可能になる。前記ハウジング１０のハウジングユニット１０ａとハウジングユニット１０ｂのうちのいずれか一つには前記メモリカード挿入穴１１に応じて一つの開口部１１２が形成してあり、メモリカード９０が前記開口部１１２から挿入可能であり、すなわち、前記ハウジング１０のメモリカード挿入穴１１に前記メモリカード９０を挿入するときに、前記メモリカード９０の頂面９１と前記ハウジング１０の上頂面１４とは一つの平面を形成する。
【００１４】
また、本実施例の端子保護スライドカバー付きメモリーカードアダプターは、前記端子ユニット２０が並列の多数の端子２１から構成され、前記各端子２１の中段は樹脂射出成形で連接され、前記連接箇所は樹脂本体部２２であり、前記樹脂本体部２２は前記ハウジング１０内の端子本体収容ゾーン１５にぴったり嵌合可能であり、且つ前記各端子２１の第一端の自由端２１１を前記メモリカード挿入穴１１に延設し、前記各端子２１の第ニ端の自由端２１２を前記ハウジング１０の端子穴１６からそれぞれ外部に延設して外部に露出し、これにより、メモリーカードアダプターが脱着自在に接続した電子装置（例えば、デジカメなど）と電気的に連接可能である。
【００１５】
また、図２と図４と図５に示すように、前記端子ユニット２０は前記樹脂本体部２２に更に一つの弾性アーム２２１が凸設してあり、前記弾性アーム２２１の末段には位置決め用フック２２１ａが形成してあり、前記弾性アームの２２１末段は前記ハウジング１０のメモリカード挿入穴１１に挿入され、前記メモリカード９０の挿入経路に位置し、メモリカード９０が前記ハウジング１０のメモリカード挿入穴１１に挿入されるときに、前記弾性アーム２２１の位置決め用フック２２１ａはメモリカード９０の位置決め穴９２に弾性的に係止され、これにより、前記メモリカード９０は外側へ容易にスライドできなくなる。
【００１６】
また、本実施例の端子保護スライドカバー付きメモリーカードアダプターは、前記スライドカバー３０が金属または樹脂で一体成形されたものであるが、本考案はこれに限定されず、また、前記スライドカバー３０は一つの本体部３１を含み、前記本体部３１の両側は前記ハウジング１０の二つの対向するスライド溝１２にそれぞれ対応し、前記二つのスライド溝１２をスライド可能であり、前記本体部３１の両側にはフック部３２がそれぞれ一つ凸設してあり、前記ハウジング１０との間に設けられたばね１３の一端が前記フック部３２に係られ、また、前記本体部３１の前記メモリカード挿入穴１１に向く開口端には一つのサイドプレート部３３が湾折して設けられ、メモリカード９０が前記メモリカード挿入穴１１に挿入されるときに、前記メモリカード９０が前記サイドプレート部３３に当設されて前記スライドカバー３０全体をスライド可能である。
【００１７】
本実施例の端子保護スライドカバー付きメモリーカードアダプターの主な構成は、前記ハウジング１０内に一つのスライドカバー３０がスライド可能に設けてあり、通常時に、前記スライドカバー３０は前記各端子２１の前記メモリカード挿入穴１１に延設した第一端の自由端２１１をカバーし、これにより、各端子２１が外部のホコリや異物に汚染され、又は、破壊されることはなくなる。
上記では、種々の実施の形態および変形例を説明したが、本考案はこれらの内容に限定されるものではない。本考案の技術的思想の範囲内で考えられるその他の態様も本考案の範囲内に含まれる。
【図面の簡単な説明】
【００１８】
【図１】本考案の一実施例による端子保護スライドカバー付きメモリーカードアダプターを示す分解斜視図である。
【図２】本考案の一実施例による端子保護スライドカバー付きメモリーカードアダプターのメモリカードを挿入していない状態を示す斜視図である。
【図３】本考案の一実施例による端子保護スライドカバー付きメモリーカードアダプターのメモリカードを挿入した状態を示す斜視図である。
【図４】本考案の一実施例による端子保護スライドカバー付きメモリーカードアダプターのメモリカードを挿入していない状態を示す上面図である。
【図５】本考案の一実施例による端子保護スライドカバー付きメモリーカードアダプターのメモリカードを挿入した状態を示す上面図である。
【図６】従来のメモリーカードアダプターのメモリカードを挿入していない状態を示す斜視図である。
【符号の説明】
【００１９】
１０  ハウジング、１０ａ  ハウジングユニット、１０ｂ  ハウジングユニット、１１  メモリカード挿入穴、１２  スライド溝、１３  ばね、１４  上頂面、１５  端子本体収容ゾーン、１６  端子穴、２０  端子ユニット、２１  端子、２２  樹脂本体部、３０  スライドカバー、３１  本体部、３２  フック部、３３  サイドプレート部、４１  ハウジング、４２  端子、９０  メモリカード、９１  頂面、９２  位置決め穴、１１１ａ  案内レール、１１１ｂ  案内レール、１１２  開口部、２１１  第一端の自由端、２１２  第二端の自由端、２２１  弾性アーム、２２１ａ  位置決め用フック部、４１１  メモリカード挿入穴、４２１  第一端の自由端
【図１】
0003125532.tif 000003
【図２】
0003125532.tif 000004
【図３】
0003125532.tif 000005
【図４】
0003125532.tif 000006
【図５】
0003125532.tif 000007
【図６】
0003125532.tif 000008